(57)【要約】      （修正有）【課題】低コストで機能性の高いパネル体を提供する。【解決手段】複数のメッシュパネル３，３，…と、メッシュパネルを支持する支持材１，２とを備え、各メッシュパネル３は、平面視で少なくとも一箇所の曲がり部４６を有するものであり、複数のメッシュパネル３，３，…が横方向に間隔をおいて配置してある。また、左右に隣接するメッシュパネル３のうち左側のメッシュパネル３は、見込み面部３ａと、見込み面部３ａの前後いずれか一方の端部より右方向にのびる見付け面部３ｂを有し、右側のメッシュパネル３は、見込み面部３ａと、見込み面部３ａの前後いずれか他方の端部より左方向にのびる見付け面３ｂ部を有し、左側のメッシュパネル３の見込み面部３ａと右側のメッシュパネル３の見付け面部３ｂとの間及び右側のメッシュパネル３の見込み面部３ａと左側のメッシュパネル３の見付け面部３ｂとの間に隙間を設けた。【選択図】図２
2011193871.tif 000002
【特許請求の範囲】
【請求項１】
複数のメッシュパネルと、メッシュパネルを支持する支持材とを備え、各メッシュパネルは、平面視で少なくとも一箇所の曲がり部を有するものであり、複数のメッシュパネルが横方向に間隔をおいて配置してあることを特徴とするパネル体。
【請求項２】
左右に隣接するメッシュパネルのうち左側のメッシュパネルは、見込み面部と、見込み面部の前後いずれか一方の端部より右方向にのびる見付け面部を有し、右側のメッシュパネルは、見込み面部と、見込み面部の前後いずれか他方の端部より左方向にのびる見付け面部を有し、左側のメッシュパネルの見込み面部と右側のメッシュパネルの見付け面部との間及び右側のメッシュパネルの見込み面部と左側のメッシュパネルの見付け面部との間に隙間があいていることを特徴とする請求項１記載のパネル体。
【請求項３】
メッシュパネルは、見込み方向に間隔をあけて左右逆向きにのびる部分を有することを特徴とする請求項１又は２記載のパネル体。
【請求項４】
メッシュパネルの向きを変更可能であることを特徴とする請求項１，２又は３記載のパネル体。
【請求項５】
メッシュパネルの向きを変えることで、隣接するメッシュパネルの縁部同士を接近させたり離したりできることを特徴とする請求項４記載のパネル体。
【請求項６】
メッシュパネルの位置を横方向に移動可能であることを特徴とする請求項１，２，３，４又は５記載のパネル体。
【請求項７】
隣接するメッシュパネル間又はメッシュパネルの何れかの面に板を取付けたことを特徴とする請求項１，２，３，４，５又は６記載のパネル体。
【請求項８】
支持材としてメッシュパネルに挿通した横桟を有し、横桟は上部材と下部材の二部材からなり、上部材と下部材の間にメッシュパネルの線材を挟んで固定してあることを特徴とする請求項１，２，３，４，５，６又は７記載のパネル体。
【発明の詳細な説明】
【技術分野】
【０００１】
本発明は、メッシュパネルを用いたパネル体に関する。
【背景技術】
【０００２】
目隠しや日除け等を目的として、従来より敷地の境界等にメッシュパネルを設置し、そのメッシュパネルにつる植物を巻付かせて緑化することが行われている。従来の緑化に用いられるメッシュパネルとしては、線材を縦横の格子状に編んだ平面的なものや、特許文献１に記載されているような一定の厚みのある立体的なメッシュパネルがあった。
平面的なメッシュパネルは、製作が容易で価格が安価である反面、強度がなく、またデザイン的に簡素でアピールするものがない。立体的なメッシュパネルは、強度は高いが、製作に手間が掛かるので高価である。
【０００３】
つる植物には、長く伸びた葉柄が巻きつくクレマチス等の巻葉柄型や、巻ひげを絡ませて伸びるゴーヤ等の巻ひげ型等があり、巻葉柄型の植物は平面的なメッシュパネルにも比較的良く絡むが、巻ひげ型の植物は平面的なメッシュパネルではツルがメッシュパネルの前方や後方に飛び出してうまく絡まない。立体的なメッシュパネルにすると巻ひげ型の植物も絡みやすくなるが、メッシュパネルの内部に手が入りにくいため、剪定をしたり実を収穫したりするのに苦労する。
さらに、平面的なメッシュパネル、立体的なメッシュパネルのどちらも、盤状に拡がった形のため、植物が上の方にまっすぐ伸びずに、斜めに伸びたり、くねくね曲がって伸びたりする。植物がメッシュパネルにたくさん絡むと、通風できなくなる。
【０００４】
特許文献２には、メッシュパネルを平板状、平面視略波型状、平面視略ジグザグ状、平面視略Ｌ字状としたものが記載されている。しかし同文献のものは、メッシュパネルを地面に突き刺しているだけなので支持が不安定であり、また、つる植物の種類に応じてそれに合った形状のメッシュパネルを選択しなければならない。またメッシュパネルを複数並べて設置する場合には、隣接するメッシュパネルを結束具で結束して連ねることを想定しており、メッシュパネルが一体の盤状である場合と同様に、反対側に手が入らない、植物がメッシュパネルにたくさん絡むと通風が得られないといった不都合がある。
【先行技術文献】
【特許文献】
【０００５】
【特許文献１】特許第３３３３４６６号公報
【特許文献２】特開平９−６５７７１号公報
【発明の概要】
【発明が解決しようとする課題】
【０００６】
本発明は以上に述べた実情に鑑み、低コストで機能性の高いパネル体の提供を目的とする。
【課題を解決するための手段】
【０００７】
上記の課題を達成するために請求項１記載の発明によるパネル体は、複数のメッシュパネルと、メッシュパネルを支持する支持材とを備え、各メッシュパネルは、平面視で少なくとも一箇所の曲がり部を有するものであり、複数のメッシュパネルが横方向に間隔をおいて配置してあることを特徴とする。
【０００８】
請求項２記載の発明によるパネル体は、請求項１記載の発明の構成に加え、左右に隣接するメッシュパネルのうち左側のメッシュパネルは、見込み面部と、見込み面部の前後いずれか一方の端部より右方向にのびる見付け面部を有し、右側のメッシュパネルは、見込み面部と、見込み面部の前後いずれか他方の端部より左方向にのびる見付け面部を有し、左側のメッシュパネルの見込み面部と右側のメッシュパネルの見付け面部との間及び右側のメッシュパネルの見込み面部と左側のメッシュパネルの見付け面部との間に隙間があいていることを特徴とする。見込み面部は、見込み方向（前後方向）と平行なものに限らず、見込み方向に対して傾斜したものでもよい。見付け面部は、見付け方向（左右方向）に対して平行なものに限らず、見付け方向に対して傾斜したものでもよい。見込み面部及び見付け面部は、湾曲面に形成されていてもよい。
【０００９】
請求項３記載の発明によるパネル体は、請求項１又は２記載の発明の構成に加え、メッシュパネルは、見込み方向に間隔をあけて左右逆向きにのびる部分を有することを特徴とする。
【００１０】
請求項４記載の発明によるパネル体は、請求項１，２又は３記載の発明の構成に加え、メッシュパネルの向きを変更可能であることを特徴とする。
【００１１】
請求項５記載の発明によるパネル体は、請求項４記載の発明の構成に加え、メッシュパネルの向きを変えることで、隣接するメッシュパネルの縁部同士を接近させたり離したりできることを特徴とする。
【００１２】
請求項６記載の発明によるパネル体は、請求項１，２，３，４又は５記載の発明の構成に加え、メッシュパネルの位置を横方向に移動可能であることを特徴とする。
【００１３】
請求項７記載の発明によるパネル体は、請求項１，２，３，４，５又は６記載の発明の構成に加え、隣接するメッシュパネル間又はメッシュパネルの何れかの面に板を取付けたことを特徴とする。
【００１４】
請求項８記載の発明によるパネル体は、請求項１，２，３，４，５，６又は７記載の発明の構成に加え、支持材としてメッシュパネルに挿通した横桟を有し、横桟は上部材と下部材の二部材からなり、上部材と下部材の間にメッシュパネルの線材を挟んで固定してあることを特徴とする。
【発明の効果】
【００１５】
請求項１記載の発明によるパネル体は、平面視で少なくとも一箇所の曲がり部を有するメッシュパネルを間隔をおいて配置することにより、多様な立体的なメッシュを形成でき、平面的なメッシュパネルよりも高強度でデザイン性に優れ、しかも立体的な盤状のメッシュパネルと比べて製作が容易で、安価に提供できる。つる植物を絡みつかせて緑化する植栽パネル体として用いる場合には、つる植物の種類に応じて、つる植物が絡みやすいように多様な立体的なメッシュを形成でき、また、メッシュパネルは間隔をおいて配置してあるので、メッシュパネル間に手を入れて剪定や実の収穫が容易に行え、完全に緑化しても通風性を得ることができる。メッシュパネルを支持する支持材を有しているので、各メッシュパネルを安定して支持できる。
【００１６】
請求項２記載の発明によるパネル体は、左右に隣接するメッシュパネルの見込み面部と見付け面部とで立体的なメッシュが形成され、且つメッシュパネル間に隙間があいていることで、デザイン性と機能性に優れたものになる。植栽パネル体として用いる場合には、立体を好む巻ひげ型のつる植物をよく絡みつかせることができ、しかも左側のメッシュパネルの見込み面部と右側のメッシュパネルの見付け面部との間及び右側のメッシュパネルの見込み面部と左側のメッシュパネルの見付け面部との間に隙間があいているため、その隙間から両メッシュパネル間の空間に前後どちらからでも容易に手が入り、剪定や実の収穫が容易に行える。また、左右のメッシュパネルの見付け面部を見込み方向から見て隣接ないし一部重なるように配置することで、メッシュパネルに絡みついた植物により優れた目隠し効果を得ることができ、尚且つ左右のメッシュパネルの間から風をよく通すことができる。
【００１７】
請求項３記載の発明によるパネル体は、メッシュパネルを、見込み方向に間隔をあけて左右逆向きにのびる部分を有するものとしたので、デザイン性と機能性に優れたものになる。植栽パネル体として用いる場合には、立体を好む巻ひげ型のつる植物がうまく絡みつくことができ、正面から見て隣接するメッシュパネル間に隙間が開かないようにメッシュパネルを配置したとしても、隣接するメッシュパネルの間に手を入れることができ、見込み方向の中間や奥の方の剪定や実の収穫も容易に行える。また、メッシュパネルが植物に覆われてもメッシュパネル同士の間を風が通り、遮視しながら通風できる。さらに、メッシュパネルの向きを斜めにすれば、面を這って育つ巻葉柄型のつる植物に適したものになる。
【００１８】
請求項４記載の発明によるパネル体は、メッシュパネルの向きを変更することで、デザインを容易に変化させることができる。また、植栽パネル体として用いる場合には、つる植物の種類に応じて、つる植物が育ちやすいように立体メッシュの形態を変えることができる。
【００１９】
請求項５記載の発明によるパネル体は、メッシュパネルの向きを変えることで、隣接するメッシュパネルの縁部同士を接近させたり離したりでき、デザインに変化を持たせられる。また植栽パネル体として用いる場合に、隣接するメッシュパネルの縁部同士を接近させることで、複数のメッシュパネルが連続的となって、面を這って育つ巻葉柄型のつる植物を絡みつかせるのに都合がよく、また、隣接するメッシュパネルの縁部同士が離れた状態とすることで、立体を好む巻ひげ型のつる植物がうまく絡みつき、つる植物が上方に向けてよく育つ上、剪定や実の収穫が容易に行える。
【００２０】
請求項６記載の発明によるパネル体は、メッシュパネルの位置を横方向に移動可能としたので、メッシュパネルの配置を簡単にアレンジでき、植栽パネル体として用いる場合に目隠しする範囲を変更したり通風量を調節したりすることができ、必要のないときにはメッシュパネルを接近させてコンパクトに収納することもできる。
【００２１】
請求項７記載の発明によるパネル体は、隣接するメッシュパネル間又はメッシュパネルの何れかの面に板を取付けたことで、遮視性と意匠性を向上できる。
【００２２】
請求項８記載の発明によるパネル体は、支持材としてメッシュパネルに挿通した横桟を有し、横桟は上部材と下部材の二部材からなり、上部材と下部材の間にメッシュパネルの線材を挟んで固定したので、メッシュパネルを固定するための金具が外部に露出せず、意匠性を向上できる。
【図面の簡単な説明】
【００２３】
【図１】本発明のパネル体の第１実施形態を示す正面図である。
【図２】第１実施形態のパネル体の平面図である。
【図３】第１実施形態のパネル体の平面図であって、メッシュパネルの向きを変更した状態を示す。
【図４】第１実施形態のパネル体に植物が絡み付いた状態を示す平面図であって、（ａ）はメッシュパネルの向きを傾けない場合、（ｂ）はメッシュパネルの向きを斜めに傾けた場合を示す。
【図５】メッシュパネルの配置アレンジの他の例を示す平面図である。
【図６−１】メッシュパネルの形態及び配置の他の例を示す平面図である。
【図６−２】メッシュパネルの形態及び配置の他の例を示す平面図である。
【図７】（ａ）は第１実施形態のパネル体に化粧パネルを取付けた例を示す平面図であり、（ｂ）は同正面図である。
【図８】化粧パネルの取付け方の他の例を示す平面図である。
【図９】本発明のパネル体の第２実施形態を示す正面図である。
【図１０】第２実施形態のパネル体の一部を拡大して示す正面図である。
【図１１】図１０のＡ−Ａ断面図である。
【図１２】（ａ）は図１０のＢ−Ｂ断面図であり、（ｂ）はメッシュパネルの向きを変更した状態を示す。
【図１３】メッシュパネルの取付け方の他の例を示す正面図である。
【図１４】（ａ）は図１３のＣ−Ｃ断面図であり、（ｂ）はメッシュパネルの向きを変更した状態を示す。
【図１５】本発明のパネル体の第３実施形態を示す正面図である。
【図１６】図１５のＤ−Ｄ断面図（突っ張り固定状態）である。
【図１７】図１５のＤ−Ｄ断面図であって、メッシュパネルの突っ張り固定を解除したときの状態を示す。
【図１８】（ａ）は図１５のＥ−Ｅ断面図であり、（ｂ）はメッシュパネルの向きを変更した状態を示す。
【図１９】第３実施形態のパネル体の横断面図であって、メッシュパネルを収納したときの状態を示す。
【図２０】（ａ）は吊具の上部材の正面図、（ｂ）は同側面図、（ｃ）は同底面図である。
【図２１】（ａ）は吊具の下部材の平面図、（ｂ）は同正面図、（ｃ）は同側面図である。
【図２２】（ａ）はメッシュパネルを突っ張り固定したときの吊具の状態を示す斜視図であり、（ｂ）は突っ張り固定を解除したときの吊具の状態を示す斜視図である。
【図２３】（ａ）は本発明のパネル体の第４実施形態を示す平面図であり、（ｂ）は同正面図である。
【図２４】（ａ）は本発明のパネル体の第５実施形態を示す平面図であり、（ｂ）は同正面図である。
【発明を実施するための形態】
【００２４】
以下、本発明の実施の形態を図面に基づいて説明する。図１，２は、本発明のパネル体の第１実施形態であって、住宅の庭等に設置されるスクリーンに適用した例を示している。このスクリーンは、地中に埋設した基礎部２０に下部を埋め込んで立設した左右の支柱１と、支柱１間に上下に間隔をおいて架設した横桟２と、横桟２に支持して横方向に間隔をおいて並べて設置した３つの縦長のメッシュパネル３を備える。本スクリーンは、高さが約２ｍ、幅が約１ｍとなっている。
【００２５】
各メッシュパネル３は、金属の線材４ａ，４ｂを縦横に５０〜１００ｍｍ程度の間隔をおいて溶接して格子状に形成してあり、図２に示すように、平面視で直角の曲がり部４６を２箇所有するクランク状となっており、見込み面部３ａと、見込み面部３ａの前側と後側の端部より右側と左側にのびる見付け面部３ｂ，３ｃとを有する。各メッシュパネル３は、見込み面部３ａに横桟２を挿通し、横の線材４ｂを金具５とビス６で横桟２に固定してある。左右に隣接するメッシュパネル３，３間には空間Ｓが形成されており、左側のメッシュパネル３の見込み面部３ａと右側のメッシュパネル３の左方向にのびる見付け面部３ｂとの間と、右側のメッシュパネル３の見込み面部３ａと左側のメッシュパネル３の右方向にのびる見付け面部３ｃとの間には、それぞれ隙間４７ａ，４７ｂが形成されている。メッシュパネル３は、見付け面部３ｃの先端部が隣りのメッシュパネル３の見付け面部３ｂの先端部と見込み方向に重なるように配置してあり、正面から見るとメッシュパネル３，３，…間に隙間がないように見える。
各メッシュパネル３は、ビス６をいったん緩めて垂直軸周りに回転させてから再度ビス６を締め付けることで、図３（ａ）に示すように、各面３ａ，３ｂ，３ｃを見込み・見付け方向に対して斜めに傾けて配置することもできる。また図３（ｂ）に示すように、見付け面部３ｂ，３ｃにも横桟２を通すことで、メッシュパネル３をより大きく傾け、隣接するメッシュパネル３の見付け面部３ｂ，３ｃが連続するように配置することもできる。このようにメッシュパネル３の向きを変えることで、隣接するメッシュパネル３の縁部同士を接近させたり離したりできる
【００２６】
本スクリーンは、地面につる植物の苗を植えるか、つる植物の苗を植えたプランターを地面に置き、つる植物をメッシュパネル３に絡みつかせて緑化される。つる植物には、大きく分けて立体的に生育する巻ひげ型と、面を這うように生育する巻葉柄型の２種類がある。
図４（ａ）は、メッシュパネル３を傾けない配置（見込み面部３ａが見込み方向と平行）とし、巻ひげ型のつる植物であるゴーヤ７をメッシュパネル３に絡みつかせた状態を示している。メッシュパネル３が立体で奥行きのある形状なので、ゴーヤ７が立体的にメッシュパネル３に絡み付いてよく育ち、しかもクランク状に曲げてあることで剛性が高く、ゴーヤ７の実７ａの重みでメッシュパネル３がたわみにくい。また、隣接するメッシュパネル３間に空間Ｓがあり、隣接するメッシュパネル３，３間の隙間４７ａ，４７ｂから空間Ｓに前後どちらからでも手が入るので、空間Ｓに手を入れてメッシュパネル３の内部にできたゴーヤの実７ａを取ったり、ゴーヤ７の生育を促進させるために剪定を行うのも容易である。さらに、メッシュパネル３の全体にゴーヤ７が絡みついても、隣接するメッシュパネル３間に空間Ｓがあることで、外からの視線８を遮りつつ通風９を確保でき、植物の葉の蒸散効果により涼しい風を呼び込むことができる。
図４（ｂ）は、メッシュパネル３を傾けた状態で固定し、巻葉柄型のつる植物であるクレマチス１０をメッシュパネル３に絡みつかせた状態を示している。平面視クランク状のメッシュパネル３を傾けて配置することで、メッシュパネル３の配置がジグザグの面状になるため、面を這うように育成するクレマチス１０が良く育つ。また、立体的でボリューム感のある緑化が可能で、クレマチスの花１０ａをよりきれいに見せることができ、庭を華やかに演出することができる。
【００２７】
以上に述べたように、本スクリーンは、メッシュパネル３を平面視クランク状とし、且つメッシュパネル３の向きを変えられるようにしたので、巻ひげ型と巻葉柄型のどちらのつる植物もメッシュパネル３に良く絡み、良好に育成させることができる。メッシュパネル３を平面視クランク状としたことでメッシュパネル３の剛性が高められ、自重や植物の重み、風や雪等による変形を防止することができる。またメッシュパネル３は、平板状に形成したものを曲げるだけで簡単に製作でき、コストも小さくできる。
【００２８】
本スクリーンは、図５に示すように、複数のメッシュパネル３で向きを違わせたり、間隔を違わせることもできる。メッシュパネル３は、曲がり部４６の曲げ角度が直角のものに限らず、図６−１（ａ），（ｂ）に示すように、曲がり部４６の曲げ角度が直角でないもの、図６−１（ｃ），（ｄ）に示すように、平面視Ｓ字状に曲がった形状とすることもできる。さらに、図６−２（ｅ）に示すように、見付け面部３ｂと湾曲面部３ｄを有する形状や、図６−２（ｆ）に示すように、平面視Ｌ字状に曲がった形状、図６−２（ｇ）に示すように、平面視Ｔ字状とすることもできる。また、図６−２（ｈ）に示すように、異なった形状のメッシュパネル３を組み合わせて配置することもできる。  
【００２９】
図７は、第１実施形態のパネル体の応用例であって、各メッシュパネル３の見込み面部３ａに化粧パネル１１を取付けた例を示している。化粧パネル１１は、メッシュパネル３と同じ上下寸法を有する縦長の帯板状で、アルミ形材の表面に木目調のフィルムを貼って形成してある。化粧パネル１１は、図８（ａ）に示すように、メッシュパネル３の見付け面部３ｂ又は３ｃに取付けることもでき、また図８（ｂ）に示すように、隣接するメッシュパネル３の間に取付けることもできる。
このように化粧パネル１１を取付けることで、緑化する前や緑化の途中段階における遮視性と意匠性を向上することができる。メッシュパネル３が立体感のあるクランク状のため、化粧パネル１１を取付けても植物は絡む。
【００３０】
図９〜１２は、本発明のパネル体の第２実施形態であって、住宅の庭等に設置されるスクリーンに適用した例を示している。このスクリーンは、地面より支柱１が間隔をおいて立設され、支柱１間に横桟２が上下方向に間隔をおいて架設してあり、支柱１と横桟２とで形成される６箇所の開口部１２に、横框１３と竪框１４とを四周框組みしたパネル枠１５がそれぞれ取付けてあり、そのパネル枠１５の内側に平面視クランク状のメッシュパネル３を２つずつ横に並べて配置してある。
【００３１】
パネル枠１５内には、竪框１４間に架設して横桟１６が上下方向に間隔をおいて設けてあり、メッシュパネル３は見込み面部３ａに横桟１６を挿通し、横桟１６に支持してある。横桟１６は、図１１に示すように、上部材１６ａと下部材１６ｂの二部材から成っており、下部材１６ｂが側方からのビス（図示省略）で竪框１４に固定され、上部材１６ａは下方が開放した断面略コ字形のカバーとなっており、前後の壁の先端部を下部材１６ｂに係止して取付けてある。
メッシュパネル３は、図１１，１２に示すように、横桟１６の下部材１６ｂの上面に配置した金具５に横の線材４ｂを係止し、下方より横桟１６の下部材１６ｂを貫通して金具５に螺入したビス６により固定してある。その上で、横桟１６に上部材１６ａを上方から嵌め込むことで、金具５とビス６を隠している。ビス６は、１０円玉等の硬貨１７で回せるように、ビスの頭にスリット１８が形成してある。横桟１６の上部材１６ａには、メッシュパネル３の横の線材４ｂを挿通する切り欠き１８が形成してある。
【００３２】
本実施形態によれば、メッシュパネル３を横桟１６に固定している金具５が見えず、且つビス６の頭も横桟１６の下面側にあって見えないので、意匠性を向上できる。また、横桟１６の下方より硬貨１７を使用してビス６を緩め、メッシュパネル３を適宜回転させて再度ビス６を締め付けることで、メッシュパネル３の向きの調整が工具レスで簡単に行える。
【００３３】
図１３，１４は、メッシュパネル３の固定の仕方の他の例を示している。この例では、メッシュパネル３に横桟２を挿通せずに、メッシュパネル３の上方と下方に配置した横桟２にメッシュパネル３の横の線材４ｂを金具５とビス６を使用して固定している。金具６は略円盤状で、中央部に横の線材４ｂの保持溝１９を有し、保持溝１９を挟む２箇所をビス６で横桟２に固定している。金具５のビス６の挿通孔２０は、円弧状の長孔になっている。
このように、メッシュパネル３に横桟２を挿通しない場合には、メッシュパネル３が横桟２に邪魔されることなく回転できるので、メッシュパネル３の向きをより大きく変えることができる。
【００３４】
図１５〜１９は、本発明のパネル体の第３実施形態を示している。本実施形態は、住宅の外壁に付けてテラス２１が設置してあり、テラス２１の前部の柱２２，２２間の間口にパネル体２３を設置している。パネル体２３は、テラス２１の屋根２４の前梁２５の下面に上レール２６を取付け、土間２７上の柱２２間に下レール２８を取付け、上下レール２６，２８間に多数のメッシュパネル３，３，…を上下レール２６，２８の長手方向に間隔をおいて並べて配置して構成してある。本パネル体２３は、各メッシュパネル３の向きを変更できることに加え、各メッシュパネル３を上下レール２６，２８の長手方向に沿って移動でき、且つ任意の位置で固定できるようになっている。
【００３５】
メッシュパネル３は、図１８に示すように、平面視クランク状に形成してあり、見込み面部３ａと見付け面部３ｂとの角部の内側に沿わせて支柱２９が設けてある。本実施形態では、上下のレール２６，２８と支柱２９が、支持材に相当する。図１６に示すように、支柱２９の上方には上レール２６と係合する吊具３０が設けてあり、支柱２９の下方には下レール２８と係合する係合具３１が設けてある。
吊具３０は、図２２に示すように、上レール２６と係合する上部材３０ａと、支柱２９の上端にネジ３２で固定した下部材３０ｂとで構成してある。上部材３０ａは、図２０に示すように、上レール２６内に収納されるスライド板部３３と、スライド板部３３より下方に突出して設けてあり、下面が開放した略円筒状の突部３４を有しており、突部３４には中心軸周りの４箇所に係止受け部３５が下方より切り欠き状に設けてある。下部材３０ｂは、図２１に示すように、支柱２９の小口を塞ぐ蓋部３６と、蓋部３６上に突出して設けてあり、上部材３０ａの突部３４の内側に下方より係合する突部３７と、突部３７の周囲の一箇所に設けた板状の係止部３８とを有している。上部材３０ａと下部材３０ｂとは、図１６に示すように、突部３４と突部３７とを上下に係合すると共に、下方より下部材３０ｂの中心部に挿通したネジ３９を上部材３０ａの中心部に螺入して連結され、中心軸回りに相対回転可能で、且つ上下方向に接近・離間可能としてある。
【００３６】
支柱２９の下方に設けられる係合具３１は、図１６に示すように、下レール２８に上方より嵌合する断面コ字形の嵌合部４０と、嵌合部４０上に垂直に起立して設けたネジ軸４１と、ネジ軸４１に螺合するノブナット４２を備える。支柱２９の下端には蓋４３が取付けられ、蓋４３の中心に形成した孔にネジ軸４１を挿入してある。
【００３７】
図１６に示すように、ノブナット４２を上方に移動する向きに手で回すことでメッシュパネル３の支柱２９が押上げられ、それに伴って吊具３０が上レール２６に押付けられるため、メッシュパネル３の支柱２９が上下レール２６，２８間に突っ張り固定される。このとき、図２２（ａ）に示すように、吊具３０の上部材３０ａの係止受け部３５に下部材３０ｂの係止部３８が係止することで、メッシュパネル３の支柱２９の回転が規制される。
反対に、ノブナット４２を下方に移動する向きに手で回すと、図１７に示すように、メッシュパネル３の支柱２９が一緒に下降し、吊具３０は上部材３０ａのスライド板部３３が上レール２６の下縁に係止する位置まで下降し、その後、下部材３０ｂのみが下降して係止部３８が上部材３０ａの係止受け部３５から抜けるため（図２２（ｂ）参照）、メッシュパネル３の支柱２９は上下レール２６，２８の長手方向に沿って移動可能で、且つ垂直軸周りに回転できる状態になる。メッシュパネル３を移動させる際、吊具３０が上レール２６と係合していることでメッシュパネル３が倒れることがなく、且つ支柱２９下部の係合具３１が下レール２８と係合していることで、メッシュパネル３の下側が見込み方向に振れることもない。メッシュパネル３を所望の位置にスライドさせると共に、メッシュパネル３の向きを所望の角度に保持したした上でノブナット４２を上昇する向きに手で回せば、図１６に示すように、メッシュパネル３の支柱２９を上下レール２６，２８間に突っ張り固定でき、それと同時に吊具３０の係止部３８が係止受け部３５に係止し、メッシュパネル３の向きが固定される。
【００３８】
パネル体２３は、図１８（ａ），（ｂ）に示すように、メッシュパネル３に絡ませるつる植物の種類に応じてメッシュパネル３の向きを変更することができる。メッシュパネル３をつる植物で緑化することで、外からの視線を遮ることができ、しかも植物の葉の蒸散効果により涼しい風をテラス内に取り入れることができる。メッシュパネル３の向きは、全てのメッシュパネル３で同じにしてもよいし、違わせることもできる。また、メッシュパネル３同士の間隔も一定でもよいし、所々違わせたり、上下レール２６，２８の全長のうちの一部分にのみメッシュパネル３を配置したりすることもできる。
さらに、冬になって植物が枯れたときや、荷物を出し入れしたりするのにメッシュパネル３が邪魔なとき、メッシュパネル３に飽きたときなどには、図１９に示すように、メッシュパネル３を上下レール２６，２８の端部側に移動して固定することで、メッシュパネル３，３，…を邪魔にならないようにコンパクトに収納することができる。支柱２９をメッシュパネル３の曲がった角部の内側に配置したことで、収納時にメッシュパネル３同士を極力接近させ、収納幅を小さくできる。
収納したメッシュパネル３，３，…を再度等間隔で配置する作業を容易にするため、上レール２６又は下レール２８に支柱２９の配置位置の目安となるシールを貼り付けておくことができる。または、吊具３０の上部材３０ａに上面に突起を設けておき、上レール２６にその突起が係止する孔を所定の間隔で設けておき、吊具３０の突起を上レール２６の孔に係止して支柱２９を位置決めできるようにしてもよい。
【００３９】
図２３は、本発明のパネル体の第４実施形態であって、隣地との境界に設置されるフェンスに適用した例を示している。本フェンスは、地面より支柱１を間隔をおいて立設し、支柱１間に上下２本の横桟２を架設し、横桟２に平面視クランク状のメッシュパネル３を６つ並べて取付けている。フェンスの高さは約１ｍ、支柱の間隔は約２ｍである。
【００４０】
図２４は、本発明のパネル体の第５実施形態であって、建物の外壁４４を緑化する壁面緑化パネルに適用した例を示している。この実施形態では、建物の外壁４４にブラケット４５を屋外側に持ち出して設置し、ブラケット４５に横桟２を固定し、横桟２に平面視クランク状のメッシュパネル３を横方向に間隔をおいて並べて固定してある。緑化パネル全体の大きさは、高さが約２ｍ、横幅が約１ｍである。
【００４１】
本発明は、以上に述べた実施形態に限定されない。メッシュパネル３の形状や大きさ、線材の間隔等は、適宜変更することができる。第２〜第５実施形態についても、図６（ａ），（ｂ）に示すように、メッシュパネルの曲げ角度が９０°でないものや、図６（ｃ），（ｄ）に示すようにメッシュパネルが平面視Ｓ字状のもの等であってもよく、また図７，８に示すように、メッシュパネル３やメッシュパネル３間に化粧パネル１１を取付けることができる。本発明のパネル体は、第１〜第５実施形態の特徴を互いに組み合わせて実施することができ、例えば第４実施形態のフェンスや第５実施形態の壁面緑化パネルに、第２実施形態の上下二分割式の横桟１６を採用することもできる。第３実施形態において、下レール２８を省略することもできる。第３実施形態について、メッシュパネルの支持・固定の仕方は、必ずしも上吊り支持、突っ張り固定に限定されず、例えばメッシュパネルの上部と下部に戸車を設け、戸車をレールに案内してメッシュパネルを支持したり、メッシュパネルに落とし棒を設け、落とし棒によりメッシュパネルを固定したりすることもできる。本発明のパネル体は、つる植物を絡みつかせるのに適したものではあるが、必ずしもつる植物を絡みつかせることを目的としたものではない、単なるフェンス等であってもよい。
【符号の説明】
【００４２】
１  支柱（支持材）
２  横桟（支持材）
３  メッシュパネル
４ａ，４ｂ  メッシュパネルの線材
１６  横桟（支持材）
１６ａ  横桟の上部材
１６ｂ  横桟の下部材
２６  上レール（支持材）
２７  下レール（支持材）
２９  支柱（支持材）
４６  曲がり部
４７ａ，４７ｂ  メッシュパネル間の隙間
Ｓ  メッシュパネル間の空間
【図１】
2011193871.tif 000003
【図２】
2011193871.tif 000004
【図３】
2011193871.tif 000005
【図５】
2011193871.tif 000006
【図６−１】
2011193871.tif 000007
【図６−２】
2011193871.tif 000008
【図７】
2011193871.tif 000009
【図８】
2011193871.tif 000010
【図９】
2011193871.tif 000011
【図１０】
2011193871.tif 000012
【図１１】
2011193871.tif 000013
【図１２】
2011193871.tif 000014
【図１３】
2011193871.tif 000015
【図１４】
2011193871.tif 000016
【図１５】
2011193871.tif 000017
【図１６】
2011193871.tif 000018
【図１７】
2011193871.tif 000019
【図１８】
2011193871.tif 000020
【図１９】
2011193871.tif 000021
【図２０】
2011193871.tif 000022
【図２１】
2011193871.tif 000023
【図２２】
2011193871.tif 000024
【図２３】
2011193871.tif 000025
【図２４】
2011193871.tif 000026
【図４】
2011193871.tif 000027